(57)【要約】【課題】洗浄水タンクから便器への洗浄水の排水を操作する排水操作方式について、洗浄水タンクや便器の使用状況に応じて手動又は電動の方式に適宜選択して容易に変更することができ、使い勝手を向上させることができる排水操作装置を提供する。【解決手段】本発明の排水操作装置1は、貯水タンク１６の排水口２０を開閉する排水弁２２と、洗浄水タンクに設けられて排水弁の動作を手動により操作可能な手動操作ユニット２４と、排水弁の動作を電動により操作可能な電動操作ユニット２６と、使用者が便器洗浄操作を指示する指示装置２８又は使用者を検知する人感センサ３０から送信される便器洗浄開始信号を受信して電動駆動モータ５８を作動させる制御装置１２と、を有し、電動操作ユニットは、手動操作ユニットとは別体に設けられていると共に、洗浄水タンク装置１４又は便器本体4の使用状況に応じて洗浄水タンク又は便器に対して取り外し可能に設けられている。【選択図】図２
2015178728.tif 000002
【特許請求の範囲】
【請求項１】
洗浄水タンクから便器への洗浄水の排水を操作する排水操作装置であって、
便器を洗浄する洗浄水を貯水する洗浄水タンクの排水口を開閉する排水弁と、
上記洗浄水タンクに設けられて上記排水弁の動作を手動により操作可能な手動操作ユニットと、
上記排水弁の動作を電動により操作可能な電動操作ユニットであって、外部からの電力により回転駆動する回転駆動軸を備えた電動駆動部と、この電動駆動部の回転駆動軸に連結されて上記電動駆動部の回転駆動力を伝達する電動駆動力伝達手段と、一端が上記電動駆動力伝達手段に連結されて他端が上記排水弁に連結される電動操作用連結部材と、を備えた上記電動操作ユニットと、
使用者が便器洗浄操作を指示する指示手段又は使用者を検知する人体検知手段から送信される便器洗浄開始信号を受信して上記電動駆動部を作動させる制御部と、を有し、
上記電動操作ユニットは、上記手動操作ユニットとは別体に設けられていると共に、洗浄水タンク又は便器の使用状況に応じて洗浄水タンク又は便器に対して取り外し可能に設けられていることを特徴とする排水操作装置。
【請求項２】
上記手動操作ユニットは、手動用回転軸と、この手動用回転軸を手動により回転操作する手動用操作部と、この手動用回転軸の回転力を伝達する手動回転力伝達手段と、一端が上記手動回転力伝達手段に連結されて他端が上記排水弁に連結される手動操作用連結部材と、を備え、
上記排水弁は、上記電動操作用連結部材の他端が連結解除可能に連結される電動操作用連結部と、上記手動操作用連結部材の他端が連結解除可能に連結される手動操作用連結部と、を備え、上記電動操作ユニットを操作している場合には、上記電動操作用連結部材の他端と上記排水弁の電動操作用連結部とが連結すると共に、上記手動操作用連結部材の他端と上記排水弁の手動操作用連結部との連結が解除された状態となり、上記手動操作ユニットを操作している場合には、上記手動操作用連結部材の他端と上記排水弁の手動操作用連結部とが連結すると共に、上記電動操作用連結部材の他端と上記排水弁の電動操作用連結部との連結が解除された状態となるように構成されている請求項１記載の排水操作装置。
【請求項３】
上記排水弁の上記電動操作用連結部と上記手動操作用連結部との間には、上記電動操作用連結部材と上記手動操作用連結部材との干渉を防止する干渉防止手段が設けられている請求項２記載の排水操作装置。
【請求項４】
上記排水弁は、上記洗浄水タンクの底部に形成された上記排水口を上下動することにより開閉する弁体部を備え、この弁体部から上方に延びた上端部には、上記電動操作用連結部及び上記手動操作用連結部のそれぞれが互いに並列に設けられ、上記干渉防止手段は、上記電動操作用連結部と上記手動操作用連結部とを仕切るように形成された仕切壁である請求項３記載の排水操作装置。
【請求項５】
上記排水弁の電動操作用連結部には、上記電動操作用連結部材が取り外し可能に挿入されて取り付けられる第１の溝穴が上記干渉防止手段として形成され、上記排水弁の手動操作用連結部には、上記手動操作用連結部材が挿入可能に取り付けられる第２の溝穴が上記干渉防止手段として形成され、上記電動操作用連結部材の他端は、上記第１の溝穴の大きさよりも大きく形成されて上記電動操作ユニットを操作した場合に上記第１の溝穴で係止可能な第１の突起部を備え、上記手動操作用連結部材の他端は、上記第２の溝穴の大きさよりも大きく形成されて上記手動操作ユニットを操作した場合に上記第２の溝穴で係止可能な第２の突起部を備えている請求項３記載の排水操作装置。
【請求項６】
上記電動操作ユニットの電動駆動力伝達手段は、上記電動駆動部の回転駆動軸に設けられた電動駆動歯車と、この電動駆動歯車に噛み合い係合する電動被動歯車と、を備え、上記電動駆動歯車及び上記電動被動歯車は、上記電動駆動部の回転駆動軸のトルクが上記手動回転軸のトルクよりも小さくなるように設計されている請求項２乃至５の何れか１項に記載の排水操作装置。
【請求項７】
上記電動操作ユニットの電動駆動力伝達手段は、更に、上記電動被動歯車が設けられた回転部材を備え、上記電動被動歯車は、上記電動駆動歯車よりもトルクが大きくなるように設計され、上記回転部材は、上記電動操作用連結部材の一端が連結され、上記被動歯車と共に回転することにより上記電動操作用連結部材を上記回転部材の回転方向に移動させるように構成されている請求項６記載の排水操作装置。
【請求項８】
請求項１乃至７の何れか１項に記載の排水操作装置と、
ボウル部を備えた便器本体と、
この便器本体のボウル部を洗浄するための洗浄水を貯水する洗浄水タンクであって、その内部に上記排水操作装置の排水弁が設けられた上記洗浄水タンクと、
を有することを特徴とするトイレ装置。
【請求項９】
上記電動操作ユニットの電動駆動部及び電動駆動力伝達手段は、洗浄水タンク又は便器の使用状況に応じて上記便器本体に取り外し可能に取り付けられ、上記洗浄水タンクにおける洗浄水の止水水位よりも上方には、上記電動操作ユニットの電動操作用連結部材が上記洗浄水タンクの内部と外部との間で挿通可能な穴又は溝が形成されている請求項８記載のトイレ装置。
【請求項１０】
上記電動操作ユニットの電動駆動部及び電動駆動力伝達手段は、上記便器本体の後方側外面に形成される収納部に取り付けられ、上記収納部には、上記電動駆動部及び上記電動駆動力伝達手段を外側から覆うようにカバー部材が取り付けられている請求項９記載のトイレ装置。
【請求項１１】
上記排水操作装置の電動操作ユニットは、洗浄水タンク又は便器の使用状況に応じて上記洗浄水タンクに取り外し可能に取り付けられている請求項８記載のトイレ装置。
【請求項１２】
上記排水操作装置の電動操作ユニットは、洗浄水タンク又は便器の使用状況に応じて上記洗浄水タンクの内部に取り外し可能に取り付けられている請求項１１記載のトイレ装置。
【請求項１３】
上記電動操作ユニットの電動駆動部及び電動駆動力伝達手段は、洗浄水タンク又は便器の使用状況に応じて上記洗浄水タンクの外側に取り外し可能に取り付けられ、上記洗浄水タンクにおける洗浄水の止水水位よりも上方には、上記電動操作ユニットの電動操作用連結部材が上記洗浄水タンクの内部と外部との間で挿通可能な穴又は溝が形成されている請求項１１記載のトイレ装置。
【発明の詳細な説明】
【技術分野】
【０００１】
本発明は、排水操作装置、及び、この排水操作装置を備えたトイレ装置に係り、特に、洗浄水タンクから便器への洗浄水の排水を操作する排水操作装置、及び、この排水操作装置を備えたトイレ装置に関する。
【背景技術】
【０００２】
従来から、便器洗浄水が貯水されている洗浄水タンクから便器への洗浄水の排水を操作する排水操作装置として、例えば、特許文献１に記載されているように、使用者が手動のみで回転操作する操作レバーと、この操作レバーに連結されて使用者が回転操作することに回転する駆動軸を備えた駆動装置と、洗浄水タンクの排水口を開閉する排水弁と駆動装置とを連結して駆動装置の駆動軸の回転により排水弁を引き上げるワイヤ部材とを備えているものが知られている。
このような特許文献１に記載されている従来の排水操作装置においては、使用者が洗浄水タンクから便器への洗浄水の排水操作を開始する際には、まず、使用者が操作レバーを掴んで回転操作し、駆動装置の駆動軸が操作レバーと共に回転して手動で駆動されると、ワイヤ部材が移動し、排水弁がワイヤ部材に引き上げられて、洗浄水タンクの排水口が開放されるようになっている。
【先行技術文献】
【特許文献】
【０００３】
【特許文献１】中国登録実用新案第２６４１１５６号明細書
【発明の概要】
【発明が解決しようとする課題】
【０００４】
しかしながら、近年では、排水操作装置の使い勝手の良さを追求するためには、使用者が直接的に手動で操作することだけにこだわらず、排水操作装置の操作自体を電動化する等、排水操作の自動化を実現し、いかに使い勝手を向上させるかが要請された課題となっている。
また、近年では、洗浄水タンクや便器の仕様の多様化に伴って、製造コストを抑制するために、洗浄水タンクや便器の構成部品のできるだけ共通化させることも行われているが、例えば、洗浄水タンクや便器の施工状況や使用状況等、洗浄水タンク又は便器の使用状況に応じて、いかに簡易に洗浄水タンクや便器の仕様を変更できるように設計するかが要請された課題となっている。
さらに、近年では、洗浄水タンクや便器の仕様の多様化に伴って、既設の洗浄水タンクや便器に対して、使用者のニーズに応じていかに簡易な手段で仕様を変更し、排水操作装置の操作方式についても、手動操作と自動操作を適宜選択できるように使い勝手を向上させるかについても要請された課題となっている。
【０００５】
そこで、本発明は、上述した従来技術において要請されている課題を解決するためになされたものであり、洗浄水タンクから便器への洗浄水の排水を操作する排水操作方式について、洗浄水タンクや便器の使用状況に応じて手動又は電動の方式に適宜選択して容易に変更することができ、使い勝手を向上させることができる排水操作装置を提供することを目的としている。
【課題を解決するための手段】
【０００６】
上記の目的を達成するために、本発明は、洗浄水タンクから便器への洗浄水の排水を操作する排水操作装置であって、便器を洗浄する洗浄水を貯水する洗浄水タンクの排水口を開閉する排水弁と、上記洗浄水タンクに設けられて上記排水弁の動作を手動により操作可能な手動操作ユニットと、上記排水弁の動作を電動により操作可能な電動操作ユニットであって、外部からの電力により回転駆動する回転駆動軸を備えた電動駆動部と、この電動駆動部の回転駆動軸に連結されて上記電動駆動部の回転駆動力を伝達する電動駆動力伝達手段と、一端が上記電動駆動力伝達手段に連結されて他端が上記排水弁に連結される電動操作用連結部材と、を備えた上記電動操作ユニットと、使用者が便器洗浄操作を指示する指示手段又は使用者を検知する人体検知手段から送信される便器洗浄開始信号を受信して上記電動駆動部を作動させる制御部と、を有し、上記電動操作ユニットは、上記手動操作ユニットとは別体に設けられていると共に、洗浄水タンク又は便器の使用状況に応じて洗浄水タンク又は便器に対して取り外し可能に設けられていることを特徴としている。
このように構成された本発明においては、洗浄水タンクの排水口を開閉する排水弁の動作を電動により操作可能な電動操作ユニットが、手動操作ユニットとは別体に設けられていると共に、洗浄水タンク又は便器の使用状況（例えば、洗浄水タンクや便器の仕様或いは施工状況等）に応じて洗浄水タンク又は便器に対して取り外し可能に設けられているため、電動操作ユニットを取り付けた状態で便器洗浄操作を行う際には、使用者が手動操作ユニットの手動操作により排水弁の動作を操作することができることに加えて、電動操作ユニットの電動操作により排水弁の動作を操作することもでき、排水弁を操作する操作方式を必要に応じて適宜選択することができる。また、使用者が電動操作ユニットの電動操作により排水弁の動作を操作した場合には、使用者が便器洗浄操作を指示する指示手段又は使用者を検知する人体検知手段から送信される便器洗浄開始信号を制御部が受信し、電動操作ユニットの電動駆動部を自動的に作動させることができる。よって、電動駆動部の回転駆動力が電動駆動力伝達手段から電動操作用連結部材を経て排水弁に作動力として伝達され、排水弁の動作を自動化することができる。したがって、手動操作ユニットのみで便器洗浄操作を行う場合に比べて、排水弁を効率よく作動させることができ、使い勝手を向上させることができる。一方、電動操作ユニットが不要である場合には、電動操作ユニットのみを取り外すことにより、洗浄水タンク又は便器の構造を簡単にすることができると共に、手動操作ユニット単体で便器洗浄操作が可能な仕様に容易に変更することもできるため、使い勝手を向上させることができる。さらに、電動操作ユニットを備えておらず、手動操作ユニットのみを備えた既存の洗浄水タンクや便器に対しても、電動操作ユニットを後付けで容易に取り付けることにより、洗浄水タンクや便器の仕様と排水操作方式を容易に変更することがきるため、使い勝手を向上させることができる。
【０００７】
本発明において、好ましくは、上記手動操作ユニットは、手動用回転軸と、この手動用回転軸を手動により回転操作する手動用操作部と、この手動用回転軸の回転力を伝達する手動回転力伝達手段と、一端が上記手動回転力伝達手段に連結されて他端が上記排水弁に連結される手動操作用連結部材と、を備え、上記排水弁は、上記電動操作用連結部材の他端が連結解除可能に連結される電動操作用連結部と、上記手動操作用連結部材の他端が連結解除可能に連結される手動操作用連結部と、を備え、上記電動操作ユニットを操作している場合には、上記電動操作用連結部材の他端と上記排水弁の電動操作用連結部とが連結すると共に、上記手動操作用連結部材の他端と上記排水弁の手動操作用連結部との連結が解除された状態となり、上記手動操作ユニットを操作している場合には、上記手動操作用連結部材の他端と上記排水弁の手動操作用連結部とが連結すると共に、上記電動操作用連結部材の他端と上記排水弁の電動操作用連結部との連結が解除された状態となるように構成されている。
このように構成された本発明においては、電動操作ユニットを操作している場合には、電動操作用連結部材の他端と排水弁の電動操作用連結部とが連結すると共に、手動操作用連結部材の他端と排水弁の手動操作用連結部との連結が解除された状態となり、手動操作ユニットを操作している場合には、手動操作用連結部材の他端と排水弁の手動操作用連結部とが連結すると共に、電動操作用連結部材の他端と排水弁の電動操作用連結部との連結が解除された状態となるため、電動操作ユニットによる電動操作時又は手動操作ユニットによる手動操作時に、電動操作用連結部材の他端及び手動操作用連結部材の他端のそれぞれが、排水弁の電動操作用連結部及び手動操作用連結部のそれぞれに同時に連結するような状態を防ぐことができる。また、電動操作ユニット又は手動操作ユニットによって排水弁を電動又は手動で操作する際に、電動操作用連結部材と手動操作用連結部材同士が互いに干渉することも防ぐことができると共に、電動操作用連結部材及び手動操作用連結部材の双方から排水弁に対して同時に過大な操作力が伝達されることを防ぐこともできる。したがって、電動操作用連結部材又は手動操作用連結部材のいずれか一方によって単独で排水弁を操作することができため、使い勝手を向上させることができる。
【０００８】
本発明において、好ましくは、上記排水弁の上記電動操作用連結部と上記手動操作用連結部との間には、上記電動操作用連結部材と上記手動操作用連結部材との干渉を防止する干渉防止手段が設けられている。
このように構成された本発明においては、排水弁の電動操作用連結部と手動操作用連結部との間に、電動操作用連結部材と手動操作用連結部材との互いの干渉を防止する干渉防止手段が設けられているため、電動操作ユニットによる電動操作又は手動操作ユニットによる手動操作に関わらず、排水弁を操作する際に、電動操作用連結部材と手動操作用連結部材とが互いに干渉することを確実に防ぐことができ、排水弁の操作性を向上させることができる。
【０００９】
本発明において、好ましくは、上記排水弁は、上記洗浄水タンクの底部に形成された上記排水口を上下動することにより開閉する弁体部を備え、この弁体部から上方に延びた上端部には、上記電動操作用連結部及び上記手動操作用連結部のそれぞれが互いに並列に設けられ、上記干渉防止手段は、上記電動操作用連結部と上記手動操作用連結部とを仕切るように形成された仕切壁である。
このように構成された本発明においては、排水弁が、洗浄水タンクの底部に形成された排水口を上下動することにより開閉する弁体部を備え、この弁体部から上方に延びた上端部には、電動操作用連結部及び手動操作用連結部のそれぞれが互いに並列に設けられて、電動操作用連結部材と手動操作用連結部材との干渉を防止する干渉防止手段として、電動操作用連結部と手動操作用連結部とを仕切るように仕切壁が形成されているため、電動操作ユニット又は手動操作ユニットによって排水弁を電動又は手動で操作する際に、電動操作用連結部材と手動操作用連結部材について、互いに干渉することを簡易な構造でより効果的に防ぐことができると共に、排水弁の電動操作用連結部と手動操作用連結部のそれぞれに効率よく連結させることができる。
【００１０】
本発明において、好ましくは、上記排水弁の電動操作用連結部には、上記電動操作用連結部材が取り外し可能に挿入されて取り付けられる第１の溝穴が上記干渉防止手段として形成され、上記排水弁の手動操作用連結部には、上記手動操作用連結部材が挿入可能に取り付けられる第２の溝穴が上記干渉防止手段として形成され、上記電動操作用連結部材の他端は、上記第１の溝穴の大きさよりも大きく形成されて上記電動操作ユニットを操作した場合に上記第１の溝穴で係止可能な第１の突起部を備え、上記手動操作用連結部材の他端は、上記第２の溝穴の大きさよりも大きく形成されて上記手動操作ユニットを操作した場合に上記第２の溝穴で係止可能な第２の突起部を備えている。
このように構成された本発明においては、電動操作ユニットを操作した場合には、電動操作用連結部材の他端の第１の突起部と排水弁の電動操作用連結部の第１の溝穴とが係止して連結すると共に、手動操作用連結部材の他端の第２の突起部と排水弁の手動操作用連結部の第２の溝穴との連結が解除された状態となる。一方、手動操作ユニットを操作した場合には、手動操作用連結部材の他端の第２の突起部と排水弁の手動操作用連結部の第２の溝穴とが係止して連結すると共に、電動操作用連結部材の他端の第１の突起部と排水弁の電動操作用連結部の第１の溝穴との連結が解除された状態となる。したがって、電動操作ユニットによる電動操作時又は手動操作ユニットによる手動操作時に、電動操作用連結部材の他端の第１の突起部及び手動操作用連結部材の他端の第２の突起部のそれぞれが、排水弁の電動操作用連結部の第１の溝穴及び手動操作用連結部の第２の溝穴のそれぞれに同時に係止して連結するような状態を防ぐことができる。また、電動操作ユニット又は手動操作ユニットによって排水弁を電動又は手動で操作する際に、電動操作用連結部材と手動操作用連結部材のそれぞれが、干渉防止手段である排水弁の電動操作用連結部の第１の溝穴及び手動操作用連結部の第２の溝穴のそれぞれに独立に挿入されているため、電動操作用連結部材と手動操作用連結部材同士の互いの干渉を効果的に防ぐことができる。さらに、電動操作用連結部材の他端の第１の突起部及び手動操作用連結部材の他端の第２の突起部のそれぞれから排水弁に対して同時に過大な操作力が伝達されることを防ぐこともできる。よって、電動操作用連結部材又は手動操作用連結部材のいずれか一方によって単独で排水弁を操作することができるため、使い勝手を向上させることができる。また、電動操作ユニットが不要である場合において、電動操作ユニットのみを取り外す際に、電動操作用連結部材を排水弁の電動操作用連結部の第１の溝穴から容易に取り外すことができるため、手動操作ユニット単体で便器洗浄操作が可能な仕様に容易に変更することができ、使い勝手を向上させることができる。
【００１１】
本発明において、好ましくは、上記電動操作ユニットの電動駆動力伝達手段は、上記電動駆動部の回転駆動軸に設けられた電動駆動歯車と、この電動駆動歯車に噛み合い係合する電動被動歯車と、を備え、上記電動駆動歯車及び上記電動被動歯車は、上記電動駆動部の回転駆動軸のトルクが上記手動回転軸のトルクよりも小さくなるように設計されている。
このように構成された本発明においては、電動操作ユニットの電動駆動力伝達手段の電動駆動歯車及び電動被動歯車について、電動駆動部の回転駆動軸のトルクが手動操作ユニットの手動回転軸のトルクよりも小さくなるように設計されているため、電動駆動部の回転駆動軸の駆動力を小さく設定することができると共に、電動操作ユニット全体を小型化することができる。
【００１２】
本発明において、好ましくは、上記電動操作ユニットの電動駆動力伝達手段は、更に、上記電動被動歯車が設けられた回転部材を備え、上記電動被動歯車は、上記電動駆動歯車よりもトルクが大きくなるように設計され、上記回転部材は、上記電動操作用連結部材の一端が連結され、上記被動歯車と共に回転することにより上記電動操作用連結部材を上記回転部材の回転方向に移動させるように構成されている。
このように構成された本発明においては、電動操作ユニットの電動駆動力伝達手段の回転部材に設けられた電動被動歯車が電動駆動歯車よりもトルクが大きくなるように設計され、この回転部材が電動被動歯車と共に回転することにより電動操作用連結部材を回転部材の回転方向に沿って移動させることができるため、電動駆動部の回転駆動軸の駆動力を小さく設定しても、電動被動歯車及び回転部材が電動駆動歯車よりも大きなトルクで回転することができる。したがって、回転部材の回転に伴って電動操作用連結部材を効率よく移動させることができると共に、電動操作ユニット全体を小型化することができる。
【００１３】
つぎに、本発明は、上記排水操作装置と、ボウル部を備えた便器本体と、この便器本体のボウル部を洗浄するための洗浄水を貯水する洗浄水タンクであって、その内部に上記排水操作装置の排水弁が設けられた上記洗浄水タンクと、を有することを特徴とするトイレ装置である。
このように構成された本発明においては、排水操作装置の電動操作ユニットを取り付けた状態で便器洗浄操作を行う際には、使用者が手動操作ユニットで手動により排水弁の動作を操作することができることに加えて、電動操作ユニットで電動により排水弁の動作を操作することもでき、排水弁を操作する操作方式を必要に応じて適宜選択することができるトイレ装置を提供することができる。また、使用者が電動操作ユニットで電動により排水弁の動作を操作した場合には、手動操作ユニットのみで便器洗浄操作を行う場合に比べて、排水弁を効率よく作動させることができ、使い勝手を向上させるトイレ装置を提供することができる。一方、洗浄水タンク又は便器の使用状況（例えば、洗浄水タンクや便器の仕様或いは施工状況等）に応じて、電動操作ユニットが不要である場合には、電動操作ユニットのみを取り外すことにより、洗浄水タンク又は便器本体の構造を簡単にすることができると共に、排水操作装置の手動操作ユニット単体で便器洗浄操作が可能な仕様に容易に変更することもできるため、使い勝手を向上させるトイレ装置を提供することができる。さらに、電動操作ユニットを備えておらず、手動操作ユニットのみを備えた既存の洗浄水タンクに対しても、電動操作ユニットを後付けで容易に取り付けることにより、洗浄水タンクや便器の仕様と排水操作方式を容易に変更することがきるため、使い勝手を向上させるトイレ装置を提供することができる。
【００１４】
本発明において、好ましくは、上記電動操作ユニットの電動駆動部及び電動駆動力伝達手段は、洗浄水タンク又は便器の使用状況に応じて上記便器本体に取り外し可能に取り付けられ、上記洗浄水タンクにおける洗浄水の止水水位よりも上方には、上記電動操作ユニットの電動操作用連結部材が上記洗浄水タンクの内部と外部との間で挿通可能な穴又は溝が形成されている。
このように構成された本発明においては、排水操作装置の電動操作ユニットの電動駆動部及び電動駆動力伝達手段が洗浄水タンク又は便器の使用状況に応じて便器本体に取り外し可能に取り付けられ、洗浄水タンクにおける洗浄水の止水水位よりも上方には、電動操作ユニットの電動操作用連結部材が洗浄水タンクの内部と外部との間で挿通可能な穴又は溝が形成されているため、排水操作装置の電動操作ユニットをトイレ装置に対して容易に着脱することができる。したがって、洗浄水タンク又は便器の使用状況に応じて、洗浄水タンクや便器の仕様と排水操作方式を容易に変更することができ、使い勝手を向上させるトイレ装置を提供することができる。また、排水操作装置の電動操作ユニットの電動駆動部及び電動駆動力伝達手段を便器本体に取り付けた状態では、電動操作ユニットの電動駆動部及び電動駆動力伝達手段が洗浄水タンクの外部に配置されることになるため、洗浄水タンク内の洗浄水がかかることがなく、故障を防止することができる。
【００１５】
本発明において、好ましくは、上記電動操作ユニットの電動駆動部及び電動駆動力伝達手段は、上記便器本体の後方側外面に形成される収納部に取り付けられ、上記収納部には、上記電動駆動部及び上記電動駆動力伝達手段を外側から覆うようにカバー部材が取り付けられている。
このように構成された本発明においては、電動操作ユニットの電動駆動部及び電動駆動力伝達手段を便器本体の後方側外面に形成される収納部に取り付け、これらの電動駆動部及び電動駆動力伝達手段を外側から覆うようにカバー部材を取り付けることにより、排水操作装置の電動操作ユニットの電動駆動部及び電動駆動力伝達手段に埃が付着することがなく、故障を防止することができる。
【００１６】
本発明において、好ましくは、上記排水操作装置の電動操作ユニットは、洗浄水タンク又は便器の使用状況に応じて上記洗浄水タンクに取り外し可能に取り付けられている。
このように構成された本発明においては、排水操作装置の電動操作ユニットが、洗浄水タンク又は便器の使用状況に応じて洗浄水タンクに取り外し可能に取り付けられているため、洗浄水タンクや便器の仕様と排水操作方式を容易に変更することがき、使い勝手を向上させるトイレ装置を提供することができる。
【００１７】
本発明において、好ましくは、上記排水操作装置の電動操作ユニットは、洗浄水タンク又は便器の使用状況に応じて上記洗浄水タンクの内部に取り外し可能に取り付けられている。
このように構成された本発明においては、排水操作装置の電動操作ユニットが洗浄水タンク又は便器の使用状況に応じて洗浄水タンクの内部に取り外し可能に取り付けられているため、洗浄水タンク外側の周辺スペースを簡素化することができ、使い勝手を向上させるトイレ装置を提供することができる。
【００１８】
本発明において、好ましくは、上記電動操作ユニットの電動駆動部及び電動駆動力伝達手段は、洗浄水タンク又は便器の使用状況に応じて上記洗浄水タンクの外側に取り外し可能に取り付けられ、上記洗浄水タンクにおける洗浄水の止水水位よりも上方には、上記電動操作ユニットの電動操作用連結部材が上記洗浄水タンクの内部と外部との間で挿通可能な穴又は溝が形成されている。
このように構成された本発明においては、排水操作装置の電動操作ユニットが、洗浄水タンク又は便器の使用状況に応じて洗浄水タンクの外側に取り外し可能に取り付けられているため、洗浄水タンクや便器の仕様と排水操作方式を容易に変更することがき、使い勝手を向上させるトイレ装置を提供することができる。また、排水操作装置の電動操作ユニットの電動駆動部及び電動駆動力伝達手段を洗浄水タンクの外側に取り付けた状態では、電動駆動部及び電動駆動力伝達手段に洗浄水タンク内の洗浄水がかかることがなく、故障を防止することができる。
【発明の効果】
【００１９】
本発明の排水操作装置によれば、洗浄水タンクから便器への洗浄水の排水を操作する排水操作方式について、洗浄水タンクや便器の使用状況に応じて手動又は電動の方式に適宜選択して容易に変更することができ、使い勝手を向上させることができる。
【図面の簡単な説明】
【００２０】
【図１】本発明の第１実施形態による排水操作装置が適用されるトイレ装置を示す概略斜視図である。
【図２】本発明の第１実施形態による排水操作装置が適用されるトイレ装置の洗浄水タンク装置において、蓋体を取り外した状態の内部構造について前方斜め上方から見た斜視図である。
【図３】本発明の第１実施形態による排水操作装置の手動操作ユニットにおける図２のＩＩＩ−ＩＩＩ線に沿って見た概略断面図である。
【図４】本発明の第１実施形態による排水操作装置の電動操作ユニットにおける図２のＩＶ−ＩＶ線に沿って見た概略断面図である。
【図５】図２に示されている排水装置の部分について、Ｖ−Ｖ線に沿って見た概略断面図であり、本発明の第１実施形態による排水操作装置の排水弁が閉弁した状態を示す。
【図６】本発明の第１実施形態による排水操作装置の排水弁、電動操作ユニットの電動操作用ワイヤ部材及び手動操作用ワイヤ部材の正面図であり、排水弁を電動操作ユニットによる電動操作で開弁させた状態を示す。
【図７】本発明の第１実施形態による排水操作装置の排水弁、電動操作ユニットの電動操作用ワイヤ部材及び手動操作用ワイヤ部材の背面図であり、排水弁を電動操作ユニットによる電動操作で開弁させた状態を示す。
【図８】本発明の第１実施形態による排水操作装置の排水弁、電動操作ユニットの電動操作用ワイヤ部材及び手動操作用ワイヤ部材の側面図（図６の右側側面図）であり、排水弁を電動操作ユニットによる電動操作で開弁させた状態を示す。
【図９】図８における電動操作用ワイヤ部材の端部及び手動操作用ワイヤ部材の端部のそれぞれが連結解除可能に連結されている排水弁の電動操作用連結部及び手動操作用連結部の部分を拡大した部分拡大図である。
【図１０】図９のＸ−Ｘ線に沿って見た断面図である。
【図１１】本発明の第１実施形態による排水操作装置の排水弁を手動操作ユニットによる手動操作で開弁させた状態における排水弁の電動操作用連結部の部分拡大図である。
【図１２】本発明の第１実施形態による排水操作装置の排水弁を手動操作ユニットによる手動操作で開弁させた状態における排水弁の手動操作用連結部の部分拡大図である。
【図１３】本発明の第１実施形態による排水操作装置の排水弁を手動操作ユニットによる手動操作で開弁させた状態における図９と同様な排水弁の電動操作用連結部及び手動操作用連結部の部分拡大図である。
【図１４】図１３のＸＩＶ−ＸＩＶ線に沿って見た断面図である。
【図１５】本発明の第２実施形態による排水操作装置が適用される洗浄水タンク装置の内部構造を前方斜め上方から見た斜視図である。
【発明を実施するための形態】
【００２１】
以下、添付図面を参照して、本発明の第１実施形態による排水操作装置について説明する。
まず、図１及び図２により、本発明の第１実施形態による排水操作装置が適用されるトイレ装置の構造について説明する。
図１は、本発明の第１実施形態による排水操作装置が適用されるトイレ装置を示す概略斜視図である。
【００２２】
図１に示すように、本発明の第１実施形態による排水操作装置１が適用されるトイレ装置２は、陶器又は樹脂で形成された便器本体４を備え、この便器本体４の内部には、汚物を受けるボウル形状のボウル部６が形成されている。このボウル部６の底部には、排水トラップ管路（図示せず）が接続されている。この排水トラップ管路（図示せず）の下流側端部は、排水ソケット（図示せず）を介して便器本体４の下方の床下側の排出管（図示せず）又は便器本体４の後方の壁裏側の排出管（図示せず）に接続されており、便器本体４のボウル部６内で洗浄された汚物は、洗浄水と共に排水トラップ管路（図示せず）から排水ソケット（図示せず）を介して下流側の外部の排出管（図示せず）に排出されるようになっている。
【００２３】
また、便器本体４の上面には、便座８が配置され、この便座８の後方には、用便後の使用者の局部を温水で洗浄する局部洗浄装置１０や詳細は後述する電動操作ユニット等の関連電気機器の作動を制御する制御装置１２が設けられている。この制御装置１２は、トイレ装置２の周囲の外部電源に接続されている。
制御装置１２の後方の便器本体４の上面には、便器本体４の洗浄を行う際に使用される洗浄水を貯水して便器本体４に供給する洗浄水タンク装置１４が設けられている。この洗浄水タンク装置１４は、洗浄水が貯水される貯水タンク１６と、この貯水タンク１６の上方を覆うように取り付けられた蓋体１８とを備えている。
【００２４】
なお、本実施形態の排水操作装置１が適用されるトイレ装置２の便器本体４については、洗浄水タンク装置１４から便器本体４に供給された洗浄水が便器本体４のボウル部６の高さ方向の落差により汚物を排出する、いわゆる、洗い落とし式便器に適用してもよいし、サイホン作用を利用してボウル部６内の汚物を吸い込んで排水トラップ管路（図示せず）から一気に外部に排出する、いわゆる、サイホン式便器等、種々の形態の水洗大便器に適用可能である。
【００２５】
つぎに、図２は、本発明の第１実施形態による排水操作装置が適用されるトイレ装置の洗浄水タンク装置において、蓋体を取り外した状態の内部構造について前方斜め上方から見た斜視図である。
図１及び図２に示すように、本実施形態の排水操作装置１は、洗浄水タンク装置１４の貯水タンク１６の底部１６ａを上下方向に貫く排水口２０を上下動することにより開閉する排水弁２２と、貯水タンク１６の側部に設けられて排水弁２２の上下動作を手動により操作可能な手動操作ユニット２４と、排水弁２２の上下動作を電動により操作可能な電動操作ユニット２６とを備えている。この電動操作ユニット２６は、手動操作ユニット２４とは別体に設けられていると共に、洗浄水タンク装置１４や便器本体４に関する洗浄方式等の仕様や、施工場所の給水圧等の設置環境や、トイレ装置２の設置スペース内のレイアウト等の設置環境を含む施工状況等、洗浄水タンク装置１４や便器本体４の使用状況に応じて便器本体４に対して適宜着脱可能に設けられている。
【００２６】
また、図１に示すように、トイレ装置２の便器本体４の側方の壁面には、使用者が便器本体４の洗浄操作を指示したり、局部洗浄装置１０による局部洗浄操作を指示するための複数の操作ボタン２８ａを含む指示装置２８が取り付けられている。
さらに、制御装置１２には、便座８に座っている使用者の存在や便器本体４の前方に立っている使用者の存在を検知することができる人体検知手段である人感センサ３０が設けられている。使用者が指示装置２８の所定の操作ボタン２８ａを押すことにより便器洗浄操作を指示する信号が制御装置１２に送信されるか、及び／又は、人感センサ３０が使用者を検知した信号が制御装置１２に送信されると、これらの信号を制御装置１２が受信し、電動操作ユニット２６を作動させるようになっている。
なお、本実施形態では、人感センサ３０及び指示装置２８の双方を備えた形態について説明するが、いずれか一方を省略して他方のみから送信される信号に基づいて制御装置１２が電動操作ユニット２６を作動させるようにしてもよい。
【００２７】
つぎに、図２に示すように、洗浄水タンク装置１４の貯水タンク１６内には、この貯水タンク１６内に洗浄水を供給する給水装置３２と、貯水タンク１６に貯えられた洗浄水について排水口２０を開放して便器本体４の導水路（図示せず）に流出させる排水装置３４が設けられている。また、排水装置３４の外側を形成する筒状のケーシング３６の内部には、上述した排水操作装置１の排水弁２２が上下動可能に設けられている。
【００２８】
給水装置３２は、外部の給水源（図示せず）に接続されて貯水タンク１６の底部から上方に延びる給水管３８と、この給水管３８の上端部に取り付けられ、給水管３８から給水される洗浄水の貯水タンク１６内への吐水と止水を切り替える給水バルブ（図示せず）と、貯水タンク１６内の水位の変動に応じて上下動して給水バルブ（図示せず）による吐水と止水を切り替えるフロート４０とを備えている。給水管３８の外周側下端部には、吐水口（図示せず）が開口し、給水バルブ（図示せず）を通過した洗浄水は、吐水口（図示せず）から貯水タンク１６内に吐水されるようになっている。
【００２９】
給水装置３２においては、排水装置３４により、貯水タンク１６内の洗浄水が便器に排水されると、洗浄水の水位が低下してフロート４０が下降し、それにより給水バルブ（図示せず）が開弁し、吐水口（図示せず）からの吐水が開始し、洗浄水タンク装置１４の外部の給水源（図示せず）から貯水タンク１６内への吐水が開始されるようになっている。
さらに、吐水が継続されて貯水タンク１６内の水位が上昇すると、フロート４０が上昇し、それにより給水バルブ（図示せず）が閉弁し、吐水口（図示せず）からの吐水が止水されるようになっている。これにより、貯水タンク１６内の洗浄水の水位が満水時の所定水位に維持されるようになっている。
【００３０】
つぎに、図１〜図３を参照して、本発明の第１実施形態による排水操作装置１の手動操作ユニット２４について具体的に説明する。
図３は、本発明の第１実施形態による排水操作装置の手動操作ユニットにおける図２のＩＩＩ−ＩＩＩ線に沿って見た概略断面図である。
図１〜図３に示すように、排水操作装置１の手動操作ユニット２４は、回転中心軸線Ｃ１を中心に回転可能な手動用回転軸４２と、この手動用回転軸４２に連結されて手動用回転軸４２を手動により回転操作する際に使用者が把持する手動用操作レバー４４とを備えている。
【００３１】
また、手動操作ユニット２４は、手動用回転軸４２の回転力を伝達する手動回転力伝達手段として、手動用回転軸４２に対して同一回転中心軸線Ｃ１上に固定して取り付けられた手動駆動歯車４６と、この手動駆動歯車４６に噛み合い係合して回転中心軸線Ｃ２を中心に回転可能な手動被動歯車４８と、この手動被動歯車４８に一体的に且つ平面視で概ね扇形形状に形成されて手動被動歯車４８と共に回転中心軸線Ｃ２を中心に回転可能な回転部材であるプーリ５０とを備えている。
【００３２】
さらに、手動操作ユニット２４は、手動操作用連結部材５２を備えている。この手動操作用連結部材５２の一端部５２ａは、プーリ５０の外周の一部に設けられた連結部５０ａに固定して連結され、手動操作用連結部材５２の他端部５２ｂは、詳細は後述する排水弁２２の上端部に設けられた手動操作用連結部５４に連結解除可能に連結されている。
また、手動操作用連結部材５２は、より具体的には、比較的弾性に富んだ可撓性を有する金属製の手動操作用ワイヤ部材５２ｃと、この手動操作用ワイヤ部材５２ｃの周囲を覆う可撓性及び耐久性を有する外側ホース部材５２ｄとを備えている。
外側ホース部材５２ｄの一端部は、手動駆動歯車４６、手動被動歯車４８及びプーリ５０を内装するケーシング５３の一部に固定して取り付けられ、外側ホース部材５２ｄの他端部は、排水装置３４のケーシング３６の上端部３６ａに固定して取り付けられており、手動操作用ワイヤ部材５２ｃの一端部５２ａを引き上げることにより、手動操作用ワイヤ部材５２ｃが外側ホース部材５２ｄに対して長手方向に摺動可能となっている。
なお、本実施形態では、排水弁２２の手動操作用連結部５４に連結する手動操作用連結部材５２の例として、ワイヤ部材５２ｃを用いた例について説明するが、ワイヤ部材の代わりに樹脂製又は金属製の玉鎖等の部材を適用してもよい。
【００３３】
例えば、排水弁２２が排水口２０を閉止している状態（待機状態）から、排水操作装置１の手動操作ユニット２４を用いた手動操作により排水弁２２を開弁させる場合、図３に手動操作の方向を矢印Ａで示すように、使用者が手動用操作レバー４４を下方に引き下げるように回転中心軸線Ｃ１を中心に回転させることにより、手動回転軸４２及び手動駆動歯車４６が回転中心軸線Ｃ１を中心に回転し、手動被動歯車４８及びプーリ５０が回転中心軸線Ｃ２を中心に回転するようになっている。これにより、手動操作用連結部材５２の手動操作用ワイヤ部材５２ｃがプーリ５０の回転に伴ってプーリ５０の外周部５０ｂに巻き付きながら移動し、所定長さ引き上げられ、排水弁２２が開弁した状態になるようになっている。
【００３４】
また、手動操作ユニット２４の内部には、手動操作用連結部材５２が引き上げられて排水弁２２が開弁した状態で使用者が手動用操作レバー４４から手を離すと、手動用操作レバー４４を元の待機状態の位置まで戻るように回転させる戻りばね（図示せず）が設けられている。
【００３５】
つぎに、図１、図２及び図４を参照して、本発明の第１実施形態による排水操作装置１の電動操作ユニット２６について具体的に説明する。
図４は、本発明の第１実施形態による排水操作装置の電動操作ユニットにおける図２のＩＶ−ＩＶ線に沿って見た概略断面図である。
図１、図２及び図４に示すように、電動操作ユニット２６は、制御装置１２から延びる電線５６に接続されてトイレ装置２の周囲の外部電源から制御装置１２に供給される電力が電線５６を介して供給される電動駆動モータ５８を備え、この電動駆動モータ５８は、電力により回転駆動する電動回転駆動軸６０を備えている。
【００３６】
また、電動操作ユニット２６は、電動駆動モータ５８の電動回転駆動軸６０の回転駆動力を伝達する電動駆動力伝達手段として、電動回転駆動軸６０に対して同一回転中心軸線Ｃ３上に固定して取り付けられた電動駆動歯車６２と、この電動駆動歯車６２に噛み合い係合して回転中心軸線Ｃ４を中心に回転可能な電動被動歯車６４と、この電動被動歯車６４に一体的に且つ平面視で概ね扇形形状に形成されて電動被動歯車６４と共に回転中心軸線Ｃ４を中心に回転可能な回転部材であるプーリ６６とを備えている。
【００３７】
さらに、電動操作ユニット２６は、電動操作用連結部材６８を備えている。この電動操作用連結部材６８の一端部６８ａは、プーリ６６の外周の一部に設けられた連結部６６ａに固定して連結され、電動操作用連結部材６８の他端部６８ｂは、詳細は後述する排水弁２２の上端部に設けられた電動操作用連結部７０に連結解除可能に連結されている。
また、電動操作用連結部材６８は、より具体的には、手動操作用連結部材５２と同様に、比較的弾性に富んだ可撓性を有する金属製の電動操作用ワイヤ部材６８ｃと、この電動操作用ワイヤ部材６８ｃの周囲を覆う可撓性及び耐久性を有する外側ホース部材６８ｄとを備えている。
外側ホース部材６８ｄの一端部は、電動駆動歯車６２、電動被動歯車６４及びプーリ６６を内装する箱型形状のケーシング７２の一部に固定して取り付けられ、外側ホース部材６８ｄの他端部は、排水装置３４のケーシング３６の上端部３６ａに固定して取り付けられており、電動操作用ワイヤ部材６８ｃの一端部６８ａを引き上げることにより、電動操作用ワイヤ部材６８ｃが外側ホース部材６８ｄに対して長手方向に摺動可能となっている。
なお、本実施形態では、排水弁２２の電動操作用連結部７０に連結する電動操作用連結部材６８の例として、ワイヤ部材６８ｃを用いた例について説明するが、ワイヤ部材の代わりに樹脂製又は金属製の玉鎖等の部材を適用してもよい。
【００３８】
さらに、電動駆動歯車６２、電動被動歯車６４、プーリ６６、及び、電動操作用連結部材６８の一端部６８ａを内装する電動操作ユニット２６のケーシング７２と電動駆動モータ５８は、便器本体４の後方側側面に形成される収納部７４（図１参照）に、洗浄水タンク装置１４や便器本体４の使用状況に応じて適宜着脱可能に取り付けられている。また、収納部７４には、ケーシング７２と電動駆動モータ５８を外側から覆うようにカバー部材７６が取り付けられている。
これらにより、排水操作装置１の電動操作ユニット２６の電動駆動モータ５８、電動駆動歯車６２、電動被動歯車６４及びプーリ６６が、洗浄水タンク装置１４の貯水タンク１６の外部に配置されることになるため、貯水タンク１６内の洗浄水がかかることがなく、故障を防止することができるようになっている。また、カバー部材７６により、電動駆動モータ５８、電動駆動歯車６２、電動被動歯車６４及びプーリ６６に埃が付着することがなく、故障を防止することができるようになっている。
【００３９】
つぎに、図３及び図４に示すように、電動操作ユニット２６の電動駆動歯車６２及び電動被動歯車６４は、電動駆動モータ５８の電動回転駆動軸６０の最大トルクＴ１が手動操作ユニット２４の手動用回転軸４２の最大トルクＴ２よりも小さく設計できるように、電動駆動歯車６２の基準円直径Ｄ１が、手動駆動歯車４６の基準円直径Ｄ２よりも小さい寸法で設計されている（Ｄ１＜Ｄ２）。これにより、電動駆動モータ５８の電動回転駆動軸６０の駆動力（最大トルクＴ１）を小さく設定することができると共に、電動操作ユニット２６のケーシング７２全体を小型化することができるようになっている。
【００４０】
また、電動被動歯車６４の基準円直径Ｄ３は、電動駆動歯車６２の基準円直径Ｄ１よりも大きい寸法で設計されており、電動被動歯車６４の最大トルクＴ３が電動駆動歯車６２よりも最大トルクＴ１が大きくなるように設計されている。これにより、電動駆動モータ５８の電動回転駆動軸６０の最大トルクＴ１を小さく設計していても、電動被動歯車６４及びプーリ６６が電動回転駆動軸６０及び電動駆動歯車６２よりも大きなトルクで回転することができるため、電動操作用連結部材６８をプーリ６６の回転方向にプーリ６６の外周部６６ｂに沿って効率よく移動させることができると共に、電動操作ユニット２６のケーシング７２全体を小型化することができるようになっている。
【００４１】
例えば、排水弁２２が排水口２０を閉止している状態（待機状態）から、排水操作装置１の電動操作ユニット２６を用いた電動操作により排水弁２２を開弁させる場合、使用者が指示装置２８の所定の操作ボタン２８ａを押すことにより便器洗浄操作を指示するか、或いは、人感センサ３０が使用者を検知すると、これらの信号が制御装置１２に送信され、制御装置１２からの指令により電動操作ユニット２６の電動駆動モータ５８が作動するようになっている。そして、電動回転駆動軸６０が回転中心軸線Ｃ３を中心に図４に矢印Ｂで示す回転方向に所定の回転数又は所定の回転角度で回転し、電動被動歯車６４及びプーリ６６が回転中心軸線Ｃ４を中心に回転するようになっている。これにより、電動操作用連結部材６８がプーリ６０の回転に伴ってプーリ６６の外周部６６ｂに巻き付きながら移動し、所定長さ引き上げられ、排水弁２２が開弁した状態になるようになっている。
【００４２】
また、図２に示すように、洗浄水タンク装置１４の貯水タンク１６を形成する後壁部１６ｂの上端部における左右方向のほぼ中央には、前後方向にほぼＵ字形状の断面で貫くように切欠き溝７８が形成されている。この切欠き溝７８は、貯水タンク１６内の止水水位ＷＬ１よりも上方に位置し、電動操作ユニット２６の電動操作用連結部材６８が貯水タンク１６の内部と外部との間で挿通可能となっている。
なお、本実施形態では、電動操作用連結部材６８が挿通可能な切欠き溝７８を貯水タンク１６の後壁部１６ｂの上端部に設けた形態について説明するが、このような形態に限定されず、切欠き溝７８の位置が貯水タンク１６内の止水水位ＷＬ１よりも上方の位置であれば、貯水タンク１６の前壁部の上端部や側壁部の上端部に設けてもよい。また、貯水タンク１６の側壁面における止水水位ＷＬ１よりも上方の位置に電動操作用連結部材６８が挿通可能な挿通穴を設けてもよい。
【００４３】
つぎに、図１、図２及び図５〜図１４を参照して、本発明の第１実施形態による排水操作装置１の排水弁２２が組み込まれた排水装置３４、本発明の第１実施形態による排水操作装置１の排水弁２２、及び、この排水弁２２の手動操作用連結部５４及び電動操作用連結部７０について具体的に説明する。
図５は、図２に示されている排水装置の部分について、Ｖ−Ｖ線に沿って見た概略断面図であり、本発明の第１実施形態による排水操作装置の排水弁が閉弁した状態を示す。
ここで、図５においては、排水装置３４のケーシング３６とその内部の排水弁２２以外の構造や機構については簡略化して示している。また、図５では、排水操作装置の電動操作時に排水弁が最も上昇して開弁した状態の排水弁の位置を鎖線で示している。
【００４４】
まず、図１、図２及び図５に示すように、本実施形態の排水操作装置１の排水弁２２が組み込まれている排水装置３４は、貯水タンク１６内の底部１６ａに取り付けられ且つ便器本体４の導水路（図示せず）に連通する排水口２０を形成する排水口ユニット８０と、この排水口ユニット８０の上端に取り付けられて排水弁２２を上下動可能に保持する排水弁保持部材８２を備えている。
【００４５】
排水装置３４の排水口ユニット８０は、貯水タンク１６の底部１６ａの所定位置に取り付けられて排水口２０を形成する排水口形成部材８４を備えている。この排水口形成部材８４の下端部は、貯水タンク１６の底部１６ａを貫き、シール部材８６を介して締結部材８８によって締結され、排水口形成部材８４が貯水タンク１６の底部１６ａに固定されている。
【００４６】
また、排水口形成部材８４の外周の一部には、上下方向に延びるように形成されたオーバーフロー管９０が設けられ、オーバーフロー管９０の下方に位置する下流側端部は、排水口形成部材８４の内部の排水口２０と連通するようになっている。
【００４７】
さらに、排水口形成部材８４は、排水口２０の上縁に沿って全周に亘って形成され且つ上方に突出する弁座９２を備えており、この弁座９２と排水弁２２の弁体９４が当接することにより、排水口２０が閉鎖されるようになっている。
また、排水口形成部材８４は、弁座９２から外側に向かって所定間隔を置いた位置から上方に延びる複数の支柱部９６を備え、これらの支柱部９６は、周方向に沿って所定間隔を置いて配置されており、隣り合う支柱部９６同士の間に排水装置３４の外側の洗浄水を排水口２０へ流入させるための複数の連通口９８を形成している。
【００４８】
つぎに、図６は、本発明の第１実施形態による排水操作装置の排水弁、電動操作ユニットの電動操作用ワイヤ部材及び手動操作用ワイヤ部材の正面図であり、排水弁を電動操作ユニットによる電動操作で開弁させた状態を示す。また、図７は、本発明の第１実施形態による排水操作装置の排水弁、電動操作ユニットの電動操作用ワイヤ部材及び手動操作用ワイヤ部材の背面図であり、排水弁を電動操作ユニットによる電動操作で開弁させた状態を示す。さらに、図８は、本発明の第１実施形態による排水操作装置の排水弁、電動操作ユニットの電動操作用ワイヤ部材及び手動操作用ワイヤ部材の側面図（図６の右側側面図）であり、排水弁を電動操作ユニットによる電動操作で開弁させた状態を示す。
また、図９は、図８における電動操作用ワイヤ部材の端部及び手動操作用ワイヤ部材の端部のそれぞれが連結解除可能に連結されている排水弁の電動操作用連結部及び手動操作用連結部の部分を拡大した部分拡大図であり、図１０は、図９のＸ−Ｘ線に沿って見た断面図である。
さらに、図１１は、本発明の第１実施形態による排水操作装置の排水弁を手動操作ユニットによる手動操作で開弁させた状態における排水弁の電動操作用連結部の部分拡大図である。また、図１２は、本発明の第１実施形態による排水操作装置の排水弁を手動操作ユニットによる手動操作で開弁させた状態における排水弁の手動操作用連結部の部分拡大図である。さらに、図１３は、本発明の第１実施形態による排水操作装置の排水弁を手動操作ユニットによる手動操作で開弁させた状態における図９と同様な排水弁の電動操作用連結部及び手動操作用連結部の部分拡大図である。また、図１４は、図１３のＸＩＶ−ＸＩＶ線に沿って見た断面図である。
【００４９】
図２、図５〜図８に示すように、本実施形態の排水操作装置１の排水弁２２は、その下方に設けられた弁体９４と、この弁体９４を上下方向から挟持して保持する弁体保持部１００と、この弁体保持部１００が下端部に設けられて排水弁保持部材８２のほぼ中心部を上下方向に貫くように延びる主軸部１０２と、この主軸部１０２の上端部から主軸部１０の長手方向の中心軸線Ｃ５に対して斜め上方に突出するように形成された突出部１０４を備えている。
さらに、図６及び図８に示すように、突出部１０４の前面１０４ａには、後方側に凹む前側凹部１０６が形成されている。これにより、前側凹部１０６の上側の突出部１０４は、上方に凸状の前側フック部１０８を形成している。そして、この前側フック部１０８の下側に形成される前側凹部１０６の上端部が、上述した手動操作用連結部５４として機能するようになっている。
同様に、図７及び図８に示すように、突出部１０４の後面１０４ｂには、前方側に凹む後側凹部１１０が形成されている。これにより、後側凹部１１０の上側の突出部１０４は、上方に凸状の後側フック部１１２を形成している。そして、この後側フック部１１２の下側に形成される後側凹部１１０の上端部が、上述した電動操作用連結部７０として機能するようになっている。
【００５０】
つぎに、図６〜図１０に示すように、排水弁２２の手動操作用連結部５４及び電動操作用連結部７０は、排水弁２２の突出部１０４に互いに前後方向に並列して設けられている。
また、排水弁２２の手動操作用連結部５４と電動操作用連結部７０との間には、手動操作用ワイヤ部材５２ｃと電動操作用ワイヤ部材６８ｃを前後方向に仕切る仕切壁１１４が形成され、この仕切壁１１４は、手動操作用ワイヤ部材５２ｃ及びその他端部５２ｂと電動操作用ワイヤ部材６８ｃ及びその他端部６８ｂとが互いに接触して干渉することを防止する干渉防止手段として機能するようになっている。
【００５１】
さらに、図９及び図１０に示すように、排水弁２２の手動操作用連結部５４と電動操作用連結部７０のそれぞれには、手動操作用ワイヤ部材５２ｃと電動操作用ワイヤ部材６８ｃのそれぞれが取り外し可能に挿入されて取り付けられる手動操作用ワイヤ部材取付用の溝穴１１６と電動操作用ワイヤ部材取付用の溝穴１１８がそれぞれ形成されている。各溝穴１１６，１１８は、仕切壁１１４によって互いに独立に仕切られており、前側凹部１０６及び後側凹部１１０のそれぞれと連通しており、手動操作用ワイヤ部材５２ｃの他端部５２ｂと電動操作用ワイヤ部材６８ｃの他端部６８ｂとが互いに接触して干渉することを防止する干渉防止手段として機能するようになっている。
また、各溝穴１１６，１１８の溝幅は、手動操作用ワイヤ部材５２ｃと電動操作用ワイヤ部材６８ｃの直径よりも僅かに大きい寸法に形成されているが、手動操作用ワイヤ部材５２ｃの他端部５２ｂと電動操作用ワイヤ部材６８ｃの他端部６８ｂの大きさよりも小さい寸法に形成されている。
【００５２】
さらに、図５に示すように、排水弁２２が排水口２０を閉弁している状態では、手動操作用ワイヤ部材５２ｃの他端部５２ｂ及び電動操作用ワイヤ部材６８ｃの他端部６８ｂのそれぞれが排水弁２２の手動操作用連結部５４（突出部１０４の前側凹部１０６の上端部）及び電動操作用連結部７０（突出部１０４の後側凹部１１０の上端部）のそれぞれに当接している。
そして、図６〜図１０に示すように、排水操作装置１の電動操作ユニット２６による電動操作によって排水弁２２が引き上げられて開弁している状態では、手動操作用ワイヤ部材５２ｃは引き上げられず、電動操作用ワイヤ部材６８ｃのみが引き上げられて、この電動操作用ワイヤ部材６８ｃの他端部６８ｂが突起部を形成し、排水弁２２の電動操作用連結部７０（突出部１０４の後側凹部１１０の上端部）に当接し、溝穴１１８に係止されるようになっている。
すなわち、排水操作装置１の電動操作ユニット２６の電動操作によって排水弁２２を開弁操作している場合には、電動操作用ワイヤ部材６８ｃの他端部６８ｂと排水弁２２の電動操作用連結部７０とが連結すると共に、手動操作用ワイヤ部材５２ｃの他端部５２ｂと排水弁２２の手動操作用連結部５４との連結が解除された状態となるようになっている。
【００５３】
一方、図１１〜図１４に示すように、排水操作装置１の手動操作ユニット２４による手動操作によって排水弁２２が引き上げられて開弁している状態では、電動操作用ワイヤ部材６８ｃは引き上げられず、手動操作用ワイヤ部材５２ｃのみが引き上げられて、この手動操作用ワイヤ部材５２ｃの他端部５２ｂが突起部を形成し、排水弁２２の手動操作用連結部５４（突出部１０４の前側凹部１０６の上端部）に当接し、溝穴１１６に係止されるようになっている。
すなわち、排水操作装置１の手動操作ユニット２４の手動操作によって排水弁２２を開弁操作している場合には、手動操作用ワイヤ部材５２ｃの他端部５２ｂと排水弁２２の手動操作用連結部５４とが連結すると共に、電動操作用ワイヤ部材６８ｃの他端部６８ｂと排水弁２２の電動操作用連結部７０との連結が解除された状態となるようになっている。
【００５４】
また、図９及び図１３に示すように、手動操作用ワイヤ部材取付用の溝穴１１６と電動操作用ワイヤ部材取付用の溝穴１１８は、排水弁２２を右側側方から見た側面視において概ね左右方向に対称に概ねＬ字形の鉤型形状に形成されている。
すなわち、図９〜図１４に示すように、各溝穴１１６，１１８は、各上端から下方に延びるように形成された縦溝部１１６ａ，１１８ａ、及び、各縦溝部１１６ａ，１１８ａの下端から、手動操作用ワイヤ部材取付用の溝穴１１６については水平方向前方に延びるように形成された横溝部１１６ｂ、電動操作用ワイヤ部材取付用の溝穴１１８については水平方向後方に延びるように形成された横溝部１１８ｂを備えている。
【００５５】
さらに、図１０及び図１４に示すように、各縦溝部１１６ａ，１１８ａは、外側から各ワイヤ部材５２ｃ，６８ｃが挿入及び取り外し可能に開放されており、図９、図１１、図１２及び図１３に示すように、横溝部１１６ｂは、外側及び前側から手動用操作ワイヤ部材５２ｃが挿入及び取り外し可能に外側及び前側が開放された溝となっている。また、横溝部１１８ｂは、外側及び後側から電動操作用ワイヤ部材６８ｃが挿入及び取り外し可能に外側及び後側が開放された溝となっている。
これらの縦溝部１１６ａ，１１８ａと横溝部１１６ｂ，１１８ｂにより、例えば、洗浄水タンク装置１４や便器本体４に関する洗浄方式等の仕様や、施工場所の給水圧等の設置環境や、トイレ装置２の設置スペース内のレイアウト等の設置環境を含む施工状況等、洗浄水タンク装置１４や便器本体４の使用状況に応じて電動操作ユニット２６を取り外して手動操作ユニット２４のみを使用する場合には、電動操作用ワイヤ部材６８ｃのみを溝穴１１８から取り外して、手動操作用ワイヤ部材５２ｃのみを溝穴１１６に取り付けた状態に設定することができるようになっている。同様に、手動操作ユニット２４を取り外して電動操作ユニット２６のみを使用する場合には、手動操作用ワイヤ部材５２ｃのみを溝穴１１６から取り外して、電動操作用ワイヤ部材６８ｃのみを溝穴１１８に取り付けた状態に設定することができるようになっている。
【００５６】
また、本実施形態では、排水操作装置１の手動操作ユニット２４による手動操作及び電動操作ユニット２６による電動操作のそれぞれの操作により、それぞれ独立に排水弁２２を引き上げて開弁させることができるようになっているが、開弁時に排水弁２２を引き上げる量を大きく設定し、弁座９２に対する弁体９４の上昇高さ（ストローク）を高く設定する程、或いは排水弁２２が開弁している時間を長く設定する程、排水装置３４によって洗浄水タンク装置１４の貯水タンク１６の排水口２０から排水されて便器本体４の導水路（図示せず）に供給される洗浄水量が多くなり、大洗浄による便器洗浄が行われるようになっている。
【００５７】
つぎに、図１〜図１４を参照して、本発明の第１実施形態による排水操作装置の動作（作用）を説明する。
まず、排水弁２２が排水口２０を閉止している状態（待機状態）から、排水操作装置１の電動操作ユニット２６を用いた電動操作により排水弁２２を開弁させる場合、使用者が指示装置２８の所定の操作ボタン２８ａを押すことにより便器洗浄操作を指示するか、或いは、人感センサ３０が使用者を検知すると、これらの信号が制御装置１２に送信され、制御装置１２からの指令により電動操作ユニット２６の電動駆動モータ５８が作動する。そして、電動回転駆動軸６０が回転中心軸線Ｃ３を中心に図４に矢印Ｂで示す回転方向に所定の回転数又は所定の回転角度で回転し、電動被動歯車６４及びプーリ６６が回転中心軸線Ｃ４を中心に回転する。これにより、電動操作用連結部材６８がプーリ６０の回転に伴ってプーリ６６の外周部６６ｂに巻き付きながら移動し、所定長さ引き上げられた後、電動駆動モータ５８が所定時間停止し、排水弁２２が所定高さまで上昇し、所定時間開弁した状態になる。これにより、貯水タンク１６内の洗浄水が排水口２０から便器本体４の導水路（図示せず）に向けて排水される。
【００５８】
このとき、電動操作ユニット２６の電動操作により排水弁２２が閉弁状態から上昇して開弁するまでの状態では、図６〜図１０に示すように、電動操作用ワイヤ部材６８ｃの他端部６８ｂと排水弁２２の電動操作用連結部７０とが連結すると共に、手動操作用ワイヤ部材５２ｃの他端部５２ｂと排水弁２２の手動操作用連結部５４との連結が解除された状態となる。
【００５９】
そして、排水弁２２が所定時間開弁した後、電動駆動モータ５８の電動回転駆動軸６０が回転中心軸線Ｃ３を中心に図４に矢印Ｂで示す回転方向と反対方向に所定の回転数又は所定の回転角度で回転した後、電動駆動モータ５８が再び停止し、排水弁２２が下降して排水口２０を閉止し、元の待機状態となる。
【００６０】
一方、排水弁２２が排水口２０を閉止している状態（待機状態）から、排水操作装置１の手動操作ユニット２４を用いた手動操作により排水弁２２を開弁させる場合、図３に手動操作の方向を矢印Ａで示すように、使用者が手動用操作レバー４４を下方に引き下げるように回転中心軸線Ｃ１を中心に回転させることにより、手動回転軸４２及び手動駆動歯車４６が回転中心軸線Ｃ１を中心に回転し、手動被動歯車４８及びプーリ５０が回転中心軸線Ｃ２を中心に回転する。これにより、手動操作用連結部材５２の手動操作用ワイヤ部材５２ｃがプーリ５０の回転に伴ってプーリ５０の外周部５０ｂに巻き付きながら移動し、所定長さ引き上げられ、排水弁２２が開弁した状態になる。
【００６１】
このとき、排水操作装置１の手動操作ユニット２４の手動操作によって排水弁２２が閉弁状態から上昇して開弁するまでの状態では、図１１〜図１４に示すように、手動操作用ワイヤ部材５２ｃの他端部５２ｂと排水弁２２の手動操作用連結部５４とが連結すると共に、電動操作用ワイヤ部材６８ｃの他端部６８ｂと排水弁２２の電動操作用連結部７０との連結が解除された状態となる。
【００６２】
そして、手動操作用連結部材５２が引き上げられて排水弁２２が開弁した状態で使用者が手動用操作レバー４４から手を離すと、戻りばね（図示せず）により手動用操作レバー４４を元の待機状態の位置まで戻るように回転し、排水弁２２が下降して排水口２０を閉止し、元の待機状態となる。
【００６３】
上述した本発明の第１実施形態による排水操作装置１によれば、洗浄水タンク装置１４の貯水タンク１６の排水口２０を開閉する排水弁２２の動作を電動により操作可能な電動操作ユニット２６が、手動操作ユニット２４とは別体に設けられていると共に、洗浄水タンク装置１４や便器本体４に関する洗浄方式等の仕様や、施工場所の給水圧等の設置環境や、トイレ装置２の設置スペース内のレイアウト等の設置環境を含む施工状況等、洗浄水タンク装置１４や便器本体４の使用状況に応じて便器本体４に対して取り外し可能に設けられているため、電動操作ユニット２６を取り付けた状態で便器洗浄操作を行う際には、使用者が手動操作ユニット２４の手動操作により排水弁２２の動作を操作することができることに加えて、電動操作ユニット２６の電動操作により排水弁２２の動作を操作することもでき、排水弁２２を操作する操作方式を必要に応じて適宜選択することができる。
また、使用者が電動操作ユニット２６で電動操作により排水弁２２の動作を操作した場合には、使用者が便器洗浄操作を指示する指示装置２８又は使用者を検知する人体センサ３０から送信される便器洗浄開始信号を制御装置１２が受信し、電動操作ユニット２６の電動駆動モータ５８を自動的に作動させることができる。よって、電動駆動モータ５８の電動回転駆動軸６０の回転駆動力が電動駆動歯車６２から電動被動歯車６４、プーリ６６及び電動操作用ワイヤ部材６８ｃを経て排水弁２２の電動操作用連結部７０に作動力として伝達され、排水弁２２の上下動の動作を自動化することができる。したがって、手動操作ユニット２４のみで便器洗浄操作を行う場合に比べて、排水弁２２を効率よく作動させることができ、使い勝手を向上させることができる。
一方、電動操作ユニット２６が不要である場合には、電動操作ユニット２６のみを取り外すことにより、洗浄水タンク装置１４又は便器本体４の構造を簡単にすることができると共に、手動操作ユニット２４単体で便器洗浄操作が可能な仕様に容易に変更することもできるため、使い勝手を向上させることができる。
さらに、電動操作ユニット２６を備えておらず、手動操作ユニット２４のみを備えた既存の洗浄水タンク装置や便器本体に対しても、電動操作ユニット２６を後付けで容易に取り付けることにより、洗浄水タンク装置や便器本体の仕様と排水操作方式を容易に変更することがきるため、使い勝手を向上させることができる。
【００６４】
また、本実施形態による排水操作装置１によれば、電動操作ユニット２６を操作している場合には、電動操作用ワイヤ部材６８ｃの他端部６８ｂと排水弁２２の電動操作用連結部７０とが連結すると共に、手動操作用ワイヤ部材５２ｃの他端部５２ｂと排水弁２２の手動操作用連結部５４との連結が解除された状態となり、手動操作ユニット２４を操作している場合には、手動操作用部材ワイヤ部材５２ｃの他端部５２ｂと排水弁２２の手動操作用連結部５４とが連結すると共に、電動操作用ワイヤ部材６８ｃの他端部６８ｂと排水弁２２の電動操作用連結部７０との連結が解除された状態となるため、電動操作ユニット２６による電動操作時又は手動操作ユニット２４による手動操作時に、電動操作用ワイヤ部材６８ｃの他端部６８ｂ及び手動操作用ワイヤ部材５２ｃの他端部５２ｂのそれぞれが、排水弁２２の電動操作用連結部７０及び手動操作用連結部５４のそれぞれに同時に連結するような状態を防ぐことができる。また、電動操作ユニット２６又は手動操作ユニット２４によって排水弁２２を電動又は手動で操作する際に、電動操作用ワイヤ部材６８ｃと手動操作用ワイヤ部材５２ｃ同士が互いに干渉することも防ぐことができると共に、電動操作用ワイヤ部材６８ｃ及び手動操作用ワイヤ部材５２ｃの双方から排水弁２２に対して同時に過大な操作力が伝達されることを防ぐこともできる。したがって、電動操作用ワイヤ部材６８ｃ又は手動操作用ワイヤ部材５２ｃのいずれか一方によって単独で排水弁２２を操作することができため、使い勝手を向上させることができる。
【００６５】
さらに、本実施形態による排水操作装置１によれば、排水弁２２が、洗浄水タンク装置１４の貯水タンク１６の底部１６ａに形成された排水口２０を上下動することにより開閉する弁体９４と、この弁体９４を上下方向から挟持して保持する弁体保持部１００と、この弁体保持部１００が下端部に設けられて排水弁保持部材８２のほぼ中心部を上下方向に貫くように延びる主軸部１０２と、この主軸部１０２の上端部から主軸部１０の長手方向の中心軸線Ｃ５に対して斜め上方に突出するように形成された突出部１０４を備え、この突出部１０４には、電動操作用連結部７０及び手動操作用連結部５４のそれぞれが互いに前後方向に並列に設けられている。そして、排水弁２２の手動操作用連結部５４と電動操作用連結部７０との間には、手動操作用ワイヤ部材５２ｃと電動操作用ワイヤ部材６８ｃを前後方向に仕切る仕切壁１１４が形成され、この仕切壁１１４は、手動操作用ワイヤ部材５２ｃ及びその他端部５２ｂと電動操作用ワイヤ部材６８ｃ及びその他端部６８ｂとが互いに接触して干渉することを防止する干渉防止手段として機能するようになっているため、電動操作ユニット２６又は手動操作ユニット２４のいずれかを選択して排水弁２２を電動又は手動で操作する際に、電動操作用ワイヤ部材６８ｃと手動操作用ワイヤ部材５２ｃについて、互いに干渉することを簡易な構造で効果的に防ぐことができると共に、排水弁２２の電動操作用連結部７０と手動操作用連結部５４のそれぞれに効率よく連結させることができる。
【００６６】
さらに、本実施形態による排水操作装置１によれば、電動操作ユニット２６を操作した場合には、電動操作用ワイヤ部材６８ｃの他端部６８ｂが排水弁２２の電動操作用連結部７０の溝穴１１８に係止して連結する突起部を形成しているため、手動操作用ワイヤ部材５２ｃの他端部５２ｃの他端部５２ｂと排水弁２２の手動操作用連結部５４の溝穴１１６との連結が解除された状態となる。一方、手動操作ユニット２４を操作した場合には、手動操作用ワイヤ部材５２ｃの他端部６２ｂが排水弁２２の手動操作用連結部５４の溝穴１１６係止して連結する突起部を形成しているため、電動操作用ワイヤ部材６８ｃの他端部６８ｂが排水弁２２の電動操作用連結部７０の溝穴１１８との連結が解除された状態となる。したがって、電動操作ユニット２６による電動操作時又は手動操作ユニット２４による手動操作時に、電動操作用ワイヤ部材６８ｃの他端部６８ｂ及び手動操作用ワイヤ部材５２ｃの他端部５２ｂのそれぞれが、排水弁２２の電動操作用連結部７０の溝穴１１８及び手動操作用連結部５４の溝穴１１６のそれぞれに同時に係止して連結するような状態を防ぐことができる。
また、電動操作ユニット２６又は手動操作ユニット２４によって排水弁２２を電動又は手動で操作する際に、電動操作用ワイヤ部材６８ｃと手動操作用ワイヤ部材５２ｃのそれぞれが、干渉防止手段である排水弁２２の電動操作用連結部７０の溝穴１１８及び手動操作用連結部５４の溝穴１１６のそれぞれに独立に挿入されているため、電動操作用ワイヤ部材６８ｃと手動操作用ワイヤ部材５２ｃ同士の互いの干渉を効果的に防ぐことができる。
さらに、電動操作用ワイヤ部材６８ｃの他端部６８ｂ及び手動操作用ワイヤ部材５２ｃの他端部５２ｂのそれぞれから排水弁２２の電動操作用連結部７０及び動操作用連結部５４に対して同時に過大な操作力が伝達されることを防ぐこともできる。よって、電動操作用ワイヤ部材６８ｃ又は手動操作用ワイヤ部材５２ｃのいずれか一方によって単独で排水弁２２を操作することができるため、使い勝手を向上させることができる。また、電動操作ユニット２６が不要である場合において、電動操作ユニット２６のみを取り外す際に、電動操作用ワイヤ部材６８ｃを排水弁２２の電動操作用連結部７０の溝穴１１８から容易に取り外すことができるため、手動操作ユニット２４単体で便器洗浄操作が可能な仕様に容易に変更することができ、使い勝手を向上させることができる。
【００６７】
また、本実施形態による排水操作装置１によれば、電動操作ユニット２６の電動駆動歯車６２及び電動被動歯車６４は、電動駆動モータ５８の電動回転駆動軸６０の最大トルクＴ１が手動操作ユニット２４の手動用回転軸４２の最大トルクＴ２よりも小さく設計できるように、電動駆動歯車６２の基準円直径Ｄ１が、手動駆動歯車４６の基準円直径Ｄ２よりも小さい寸法で設計されているため（Ｄ１＜Ｄ２）、電動駆動モータ５８の電動回転駆動軸６０の駆動力（最大トルクＴ１）を小さく設定することができると共に、電動操作ユニット２６のケーシング７２全体を小型化することができる。
【００６８】
さらに、本実施形態による排水操作装置１によれば、電動被動歯車６４の基準円直径Ｄ３は、電動駆動歯車６２の基準円直径Ｄ１よりも大きい寸法で設計されており、電動被動歯車６４の最大トルクＴ３が電動駆動歯車６２よりも最大トルクＴ１が大きくなるように設計されているため、電動駆動モータ５８の電動回転駆動軸６０の最大トルクＴ１を小さく設計していても、電動被動歯車６４及びプーリ６６が電動回転駆動軸６０及び電動駆動歯車６２よりも大きなトルクで回転することができる。したがって、電動操作用ワイヤ部材６８ｃをプーリ６６の回転方向にプーリ６６の外周部６６ｂに沿って効率よく移動させることができると共に、電動操作ユニット２６のケーシング７２全体を小型化することができる
【００６９】
また、本実施形態による排水操作装置１によれば、電動操作ユニット２６を取り付けた状態で便器洗浄操作を行う際には、使用者が手動操作ユニット２４で手動により排水弁２２の動作を操作することができることに加えて、電動操作ユニット２６で電動により排水弁２２の動作を操作することもでき、排水弁２２を操作する操作方式を必要に応じて適宜選択することができるトイレ装置２を提供することができる。また、使用者が電動操作ユニット２６で電動により排水弁２２の動作を操作した場合には、手動操作ユニット２４のみで便器洗浄操作を行う場合に比べて、排水弁２２を効率よく作動させることができ、使い勝手を向上させるトイレ装置２を提供することができる。
一方、洗浄水タンク装置１４や便器本体４に関する洗浄方式等の仕様や、施工場所の給水圧等の設置環境や、トイレ装置２の設置スペース内のレイアウト等の設置環境を含む施工状況等、洗浄水タンク装置１４や便器本体４の使用状況に応じて、電動操作ユニット２６が不要である場合には、電動操作ユニット２６のみを取り外すことにより、洗浄水タンク装置１４又は便器本体４の構造を簡単にすることができると共に、排水操作装置１の手動操作ユニット２４単体で便器洗浄操作が可能な仕様に容易に変更することもできるため、使い勝手を向上させるトイレ装置２を提供することができる。
さらに、電動操作ユニット２６を備えておらず、手動操作ユニット２４のみを備えた既存の洗浄水タンク装置に対しても、電動操作ユニット２６を後付けで容易に取り付けることにより、洗浄水タンク装置１４や便器本体４の仕様と排水操作方式を容易に変更することがきるため、使い勝手を向上させるトイレ装置２を提供することができる。
【００７０】
さらに、本実施形態による排水操作装置１によれば、電動操作ユニット２６の電動駆動歯車６２、電動被動歯車６４、プーリ６６、及び、電動操作用連結部材６８の一端部６８ａを内装するケーシング７２と電動駆動モータ５８が便器本体４の後方側側面に形成される収納部７４（図１参照）に、洗浄水タンク装置１４や便器本体４の使用状況に応じて適宜着脱可能に取り付けられている。これに加えて、洗浄水タンク装置１４の貯水タンク１６を形成する後壁部１６ｂの上端部における左右方向のほぼ中央には、前後方向にほぼＵ字形状の断面で貫くように切欠き溝７８が形成され、この切欠き溝７８が貯水タンク１６内の止水水位ＷＬ１よりも上方に位置し、電動操作ユニット２６の電動操作用連結部材６８が貯水タンク１６の内部と外部との間で挿通可能となっているため、排水操作装置１の電動操作ユニット２６をトイレ装置２に対して容易に着脱することができる。
したがって、洗浄水タンク装置１４又は便器本体４の使用状況に応じて、洗浄水タンク装置１４や便器本体４の仕様と排水操作方式を容易に変更することができ、使い勝手を向上させるトイレ装置２を提供することができる。また、排水操作装置１の電動操作ユニット２６の電動操作ユニット２６のケーシング７２と電動駆動モータ５８を便器本体４の収納部７４に取り付けた状態では、電動操作ユニット２６の電動駆動歯車６２、電動被動歯車６４、プーリ６６、及び、電動操作用連結部材６８の一端部６８ａと電動駆動モータ５８が洗浄水タンク装置１４の貯水タンク１６の外部に配置されることになるため、貯水タンク１６内の洗浄水がかかることがなく、故障を防止することができる。
【００７１】
また、本実施形態による排水操作装置１によれば、電動操作ユニット２６の電動操作ユニット２６の電動駆動歯車６２、電動被動歯車６４、プーリ６６、及び、電動操作用連結部材６８の一端部６８ａを内装するケーシング７２と電動駆動モータ５８を便器本体４の後方側外面に形成される収納部７２に取り付け、これらを外側から覆うようにカバー部材７６を取り付けることにより、排水操作装置１の電動操作ユニット２６のケーシング７２と電動駆動モータ５８に埃が付着することがなく、故障を防止することができる。
【００７２】
つぎに、図１５を参照して、本発明の第２実施形態による排水操作装置について説明する。
図１５は、本発明の第２実施形態による排水操作装置が適用される洗浄水タンク装置の内部構造を前方斜め上方から見た斜視図である。
なお、図１５に示す本発明の第２実施形態による排水操作装置及びこの排水操作装置が適用されるトイレ装置の洗浄水タンク装置において、図２に示す本発明の第１実施形態による排水操作装置及びこの排水操作装置が適用されるトイレ装置の洗浄水タンク装置の部分と同一部分については同一の符号を付し、これらの説明は省略する。
【００７３】
図１５に示すように、本発明の第２実施形態による排水操作装置２００においては、電動操作ユニット２６の電動駆動モータ５８が洗浄水タンク装置２１４の貯水タンク２１６の後壁部２１６ｂに取り外し可能に設けられている。また、制御装置１２と電動駆動モータ５８とを接続する電線５６が挿通可能な挿通穴２７８が、貯水タンク２１６の後壁部２１６ｂにおける貯水タンク２１６内の止水水位ＷＬ１よりも上方に位置し、貯水タンク２１６の後壁部２１６ｂに前後方向に貫くように形成されている。これらにより、本発明の第２実施形態による排水操作装置２００は、電動操作ユニット２６全体が洗浄水タンク装置２１４又は便器本体４の使用状況に応じて貯水タンク２１６の内部に取り外し可能に取り付けられている点で第１実施形態の排水操作装置１と異なっている。
【００７４】
上述した本発明の第２実施形態による排水操作装置２００によれば、電動操作ユニット２６が洗浄水タンク装置２１４又は便器本体４の使用状況に応じて貯水タンク２１６の内部に取り外し可能に取り付けられているため、貯水タンク２１６の外側の周辺スペースを簡素化することができ、使い勝手を向上させるトイレ装置２０４を提供することができる。
【００７５】
なお、上述した本発明の第１実施形態による排水操作装置１及び第２実施形態による排水操作装置２００と異なる第３実施形態として、電動駆動歯車６２、電動被動歯車６４、プーリ６６、及び、電動操作用連結部材６８の一端部６８ａを内装する電動操作ユニット２６のケーシング７２と電動駆動モータ５８について、洗浄水タンク装置の貯水タンクの外側表面一部に取り外し可能に取り付け、貯水タンクにおける洗浄水の止水水位ＷＬ１よりも上方には、電動操作ユニット２６の電動操作用連結部材６８が貯水タンクの内部と外部との間で挿通可能な穴又は溝を形成するようにしてもよい。
このような本発明の第３実施形態による排水操作装置によれば、洗浄水タンク装置や便器本体の仕様と排水操作方式を容易に変更することがき、使い勝手を向上させるトイレ装置を提供することができる。また、排水操作装置の電動操作ユニット２６のケーシング７２と電動駆動モータ５８を貯水タンクの外側に取り付けた状態では、ケーシング７２と電動駆動モータ５８に貯水タンク内の洗浄水がかかることがなく、故障を防止することができる。
【符号の説明】
【００７６】
１    排水操作装置
２    トイレ装置
４    便器本体
６    ボウル部
８    便座
１０    局部洗浄装置
１２    制御装置（制御部）
１４    洗浄水タンク装置
１６    貯水タンク
１６ａ  貯水タンクの底部
１６ｂ  貯水タンクの後壁部
１８    蓋体
２０    排水口
２２    排水弁
２４    手動操作ユニット
２６    電動操作ユニット
２８    指示装置（指示手段）
２８ａ  操作ボタン
３０    人感センサ（人体検知手段）
３２    給水装置
３４    排水装置
３６    ケーシング
３６ａ  ケーシングの上端部
３８    給水管
４０    フロート
４２    手動用回転軸
４４    手動用操作レバー（手動用操作部）
４６    手動駆動歯車（手動回転力伝達手段）
４８    手動被動歯車（手動回転力伝達手段）
５０    プーリ（手動操作ユニットの手動回転力伝達手段の回転部材）
５０ａ  連結部
５０ａ  プーリの外周部
５２    手動操作用連結部材（手動操作用連結部材）
５２ａ  手動操作用連結部材の一端部（手動操作用連結部材の一端）
５２ｂ  手動操作用連結部材の他端部（手動操作用連結部材の他端、第２の突起部）
５２ｃ  手動操作用ワイヤ部材
５２ｄ  外側ホース部材
５３    ケーシング
５４    手動操作用連結部
５６    電線
５８    電動駆動モータ（電動駆動部）
６０    電動回転駆動軸（回転駆動軸）
６２    電動駆動歯車（電動駆動力伝達手段）
６４    電動被動歯車（電動駆動力伝達手段）
６６    プーリ（電動操作ユニットの電動駆動力伝達手段の回転部材）
６６ａ  連結部
６６ｂ  プーリの外周部
６８    電動操作用連結部材
６８ａ  電動操作用連結部材の一端部（電動操作用連結部材の一端）
６８ｂ  電動操作用連結部材の他端部（手動操作用連結部材の他端、第１の突起部）
６８ｃ  電動操作用ワイヤ部材
６８ｄ  外側ホース部材
７０    電動操作用連結部
７２    ケーシング
７４    収納部
７６    カバー部材
７８    切欠き溝
８０    排水口ユニット
８２    排水弁保持部材
８４    排水口形成部材
８６    シール部材
８８    締結部材
９０    オーバーフロー管
９２    弁座
９４    弁体（弁体部）
９６    支柱部
９８    連通口
１００    排水弁の弁体保持部
１０２    主軸部（弁体部）
１０４    突出部
１０４ａ  突出部の前面
１０４ｂ  突出部の後面
１０６    前側凹部
１０８    前側フック部
１１０    後側凹部
１１２    後側フック部
１１４    仕切壁（干渉防止手段）
１１６    溝穴（干渉防止手段、第２の溝穴）
１１６ａ  縦溝部
１１６ｂ  横溝部
１１８    溝穴（干渉防止手段、第１の溝穴）
１１８ａ  縦溝部
１１８ｂ  横溝部
【図１】
2015178728.tif 000003
【図２】
2015178728.tif 000004
【図３】
2015178728.tif 000005
【図４】
2015178728.tif 000006
【図５】
2015178728.tif 000007
【図６】
2015178728.tif 000008
【図７】
2015178728.tif 000009
【図８】
2015178728.tif 000010
【図９】
2015178728.tif 000011
【図１０】
2015178728.tif 000012
【図１１】
2015178728.tif 000013
【図１２】
2015178728.tif 000014
【図１３】
2015178728.tif 000015
【図１４】
2015178728.tif 000016
【図１５】
2015178728.tif 000017